(57)【特許請求の範囲】
【請求項１】
上腕を挿入する筒体の腕帯部と、血圧計本体とを有し、前記腕帯部と前記血圧計本体とが別体に形成されており
前記腕帯部は、
空気袋と、
前記空気袋の内面を覆う筒体でなり変形可能で伸縮性を有し、前記上腕の被測定面に当接する当接布部と、
前記空気袋を収容するように前記当接布部の外側に接合され、変形可能であるが前記当接布部よりも伸縮性の低い布部材で形成された外側部材と
を有し、
前記空気袋は、これを構成するためのシート体により中空の筒体となるようにされており、
該空気袋は、その内側において、互いに所定距離を隔てた位置で、前記上腕を通す方向に沿って、かつ互いに所定間隔をあけて設けられた、複数の折り線部分にて前記空気袋が内側に曲折可能に形成されている
ことを特徴とする電子血圧計。
【請求項２】
前記シート体は、展開状態において一方向に長い帯状のシートであり、該シートの長手方向に沿った折り返し線で二分される領域を互いに重ねて、内部に中空の気密空間を作るように前記折り返し線以外の外縁が接合されており、かつ前記展開状態において、前記折り返し線に関して、一側のシートに前記複数の折り線が形成されていて、前記折り返し線に関して、他の側のシートには、前記折り線の間の前記所定間隔領域に、計測用のマイクロフォンが配置されるようにマイクロフォンの保持部が形成されていることを特徴とする請求項１に記載の電子血圧計。
【請求項３】
前記折り線は、前記空気袋の内側において、前記上腕を通す方向に沿って、かつ互いに所定間隔をあけて４つ設けられていることを特徴とする請求項１または２のいずれかに記載の電子血圧計。
【請求項４】
前記折り線は、前記空気袋を構成するシート体の厚みを肉薄部分とすることにより形成されていることを特徴とする請求項１ないし３のいずれかに記載の電子血圧計。
【発明の詳細な説明】
【技術分野】
【０００１】
本発明は、電子血圧計に関し、特に血圧計本体から腕帯部を分離でき、血圧計本体の設置場所が測定者から離れていても、測定者は座位にて背を伸ばして腹圧の掛からない状態で測定が可能なタイプ（以下ではスル−インタイプと呼ぶ。）の電子血圧計に関するものである。
【背景技術】
【０００２】
近年、医療機関で行われている高血圧治療向けの血圧測定において、白衣性高血圧症による擬似高血圧が問題にされている。この擬似高血圧症の原因としては、病院内での医師の前での緊張、不安等の精神面での不安定が考えられている。これに対して、精神的に安定している家庭にて一人で測定した血圧値に注目が集まっている。このため、この家庭血圧測定に用いる一人で測定するタイプの電子血圧計が注目されている。
このタイプの血圧計で測定上問題となるのが、腕帯部の腕への装着の仕方である。腕帯部内の空気袋の位置が上腕に対して適当でない場合や、上腕に対して巻き付け強さが適当でない場合に、腕帯部の空気袋の圧迫が上腕に正しく行われず、血圧が高く測定される場合がある。近年、これを解決するために、筒状の腕帯部に腕を挿入するだけで、自動的に腕帯部の空気袋を腕の正しい位置に配置し、正しい巻き付け強さにて血圧測定を行うことができるようにした血圧計本体と腕帯部を一体とした電子血圧計（以降、アームインタイプと呼ぶ）が開発されている（特許文献１を参照）。
【０００３】
しかし、使用者が上記アームインタイプの血圧計を使用すると、腕を挿入する腕帯部が血圧計本体と一体となっているので、血圧計本体の位置が測定者から離れていた場合には、測定者は前かがみ状態での測定となり易い。このため、測定者の腹部が圧迫されて腹圧が上昇し、その結果、血圧が上昇する現象が見られる場合がある。この血圧上昇を、新たな擬似高血圧症の発生として、指摘されている。
そこで、このような擬似高血圧症の発生という不都合に対応するために、血圧計本体から腕帯部が分離できて、血圧計本体の設置場所が測定者から離れていても、測定者が座位にて背を伸ばした状態で腹圧の掛からない測定をすることが可能なタイプ（以降、スル−インタイプと呼ぶ）の電子血圧計が開発されている。
【先行技術文献】
【特許文献】
【０００４】
【特許文献１】特開２００５―２３７４２７号公報
【発明の概要】
【発明が解決しようとする課題】
【０００５】
しかし、上述したスル−インタイプの電子血圧計では、軽量でコンパクトであり使用しない時には腕帯部は折りたたむことができる腕帯部の出現が望まれている。
そこで、上記課題を解消するために、本発明は、軽量でコンパクトな腕帯部を有する電子血圧計を提供することを目的とする。
【課題を解決するための手段】
【０００６】
本発明の電子血圧計は、上腕を挿入する筒体の腕帯部と、血圧計本体とを有し、前記腕帯部と前記血圧計本体とが別体に形成されており、前記腕帯部は、空気袋と、前記空気袋の内面を覆う筒体でなり変形可能で伸縮性を有し、前記上腕の被測定面に当接する当接布部と、前記空気袋を収容するように前記当接布部の外側に接合され、変形可能であるが前記当接布部よりも伸縮性の低い布部材で形成された外側部材とを有することを特徴とする。
上記構成により、軽量で折り畳み可能である。つまり、人体の測定部位に当接する当接布部が伸縮性を備えているために腕等の測定部位を挿入しやすく、皺を生じにくい。外側部材は、当接布部よりも伸縮性は低いが、変形は許容する構成である。このため、腕帯部全体の型保持性を担うとともに、折り畳むこともできることで、使いやすくコンパクトな腕帯部を有する電子血圧計を提供できる。
【０００７】
本発明の電子血圧計では、前記空気袋の前記上腕を通す方向に沿った幅が、１２ｃｍ以上であることを特徴とする。
上記構成によれば、空気袋の内面側が測定者の被測定面に対して少なくとも８ｃｍ以上当接していないと、正しい血圧測定ができないので、空気袋の内面側が８ｃｍ以上接しているためには、空気袋の幅Ｗは１２ｃｍ以上必要である。もし、空気袋の幅Ｗは１２ｃｍ未満であると、正確な血圧測定ができなくなる恐れがある。
本発明の電子血圧計では、前記外側部材の前記上腕を通す方向の幅を引いた値Ｓから、前記空気袋の前記上腕を通す方向に沿った幅Ｗを引いた値は、４ｃｍ以下であることを特徴とする。
上記構成によれば、空気袋は、外布に対して止めておらず、外布の寸法に余裕を持たせて、空気袋の膨張と収縮に対応できるようにするためである。もしも、（幅Ｓ−幅Ｗ）の値が４ｃｍを超えると、空気袋が外布と内布とで形成される空間内で移動する可能性があるので、好ましくはない。
【０００８】
本発明の電子血圧計では、前記外側部材の内側には、骨部材が設けられていることを特徴とする。上記構成により、空気袋に空気が供給された時に、腕帯部の外側部材が外側に膨れる現象を防止することができ、正確な血圧測定が行える。
【０００９】
本発明の電子血圧計では、前記空気袋には、前記上腕を通す方向に沿った複数の肉薄部分を有しており、前記空気袋は、前記肉薄部分で折り曲げることで筒状に形成されていることを特徴とする。
上記構成によれば、腕帯部を形成する際に、空気袋とこの空気袋を覆う外側部材と当接布部から成る腕帯部を容易に折り曲げながら確実に筒状に形成することができる。
【発明の効果】
【００１０】
本発明によれば、軽量でコンパクトな腕帯部を有するとともに、腕帯を持ち上げて腕を入れるだけの簡単な操作で、お腹を圧迫することなくリラックスした正しい測定姿勢をとることができる電子血圧計を提供することができる。
【図面の簡単な説明】
【００１１】
【図１】本発明の電子血圧計の好ましい実施形態を前側から示す斜視図である。
【図２】電子血圧計の腕帯部の分解斜視図である。
【図３】電子血圧計の腕帯部の内部構造を示す断面図である。
【図４】外布の内側に配置された骨部材の形状例を示す図である。
【図５】骨部材を有する腕帯部を示す側面図である。
【図６】図６（Ａ）は、外布と空気袋のユニットＵＴを示す斜視図であり、図６（Ｂ）は、このユニットＵＴを別の方向から見た斜視図であり、図６（Ｃ）は、ユニットＵＴを折りたたんだ状態を示す斜視図である。
【図７】図７（Ａ）は、空気袋とマイクを示す斜視図であり、図７（Ｂ）は、空気袋と外布と内布カバーと、マイクを示す図である。
【図８】空気袋を形成するシート例を示す図である。
【図９】空気袋の内面が測定者の被測定面を当接している様子を示す図である。
【図１０】電子血圧計のブロック構成図である。
【発明を実施するための形態】
【００１２】
以下に、本発明の好ましい実施形態を、図面を参照して詳しく説明する。
図１は、本発明の電子血圧計の好ましい実施形態を前側から示す斜視図であり、図２は、この電子血圧計の腕帯部の分解斜視図である。図３は、電子血圧計の腕帯部の内部構造を示す断面図である。
図１に示す電子血圧計１は、自動電子血圧計ともいい、血圧計本体１０から腕帯部２を分離でき、血圧計本体１０の設置場所が測定者から離れていても、測定者は座位にて背を伸ばして腹圧の掛からない状態で測定が可能なタイプ（以下では、スル−インタイプと呼ぶ。）の電子血圧計である。この電子血圧計１は、血圧測定方式の一例としてリバロッチ・コロトコフ法が用いられ、コロトコフ音（Ｋ音）を検出して血圧測定を行う装置である。図１に示すように、電子血圧計１は、変形可能でソフトな筒体の腕帯部２と、血圧計本体１０を備える。腕帯部２と血圧計本体１０は別体である。
【００１３】
図３に示すように、この電子血圧計１は、測定者の上腕Ｔを腕帯部２の挿入開口１１Ｐから、Ｄ１方向に沿って挿入して血圧を測定するスルーイン式の血圧計である。腕帯部２と血圧計本体１０とは有線（電気信号線）３により電気的に接続され、しかも腕帯部２と血圧計本体１０とがエアーの給排気路であるフレキシブルなチューブ４により接続されている。
【００１４】
まず、図１を参照して、血圧計本体１０の構造について説明する。
図１に示すように、血圧計本体１０は、ケーシング３０と表示部３１を有している。ケーシング３０は、例えばプラスチック製の薄型の内部空間を有する部材であり、傾斜した上面部３２と、前端面部３３と後端面部３４と、側面部３５，３６と、底面部４２を有している。
図１に示すように、ケーシング３０の上面部３２には、傾斜した表示部３１が配置されており、測定者が表示部３１の表示内容を容易に確認できるようになっている。ケーシング３０には、測定開始操作部の一例としての開始／停止ボタン３７と、メモリ呼び出し・時刻・アラーム設定ボタン３８と、記憶しないボタン３９が設けられている。測定者が開始／停止ボタン３７を押すことで、血圧測定操作の開始あるいは停止をするためのボタンである。
【００１５】
図１において、時刻を設定する場合には、例えば、メモリ呼び出し・時刻・アラーム設定ボタン３８と記憶しないボタン３９を同時に長押しすることで、操作・設定・入力機能として作用させることにより、表示部３１には時刻設定画面が表示され、時刻設定画面に表示されている時刻は、メモリ呼び出し・時刻・アラーム設定ボタン３８で選択しながら設定することができる。
【００１６】
また、図１において、例えばメモリ呼び出し・時刻・アラーム設定ボタン３８を押すことにより、過去の例えば１００件の血圧測定記録を表示部３１に表示できる。表示部３１に表示される各件の最高血圧値、最低血圧値、脈拍数、日時が、メモリ呼び出し・時刻・アラーム設定ボタン３８を押す毎に順番に表示できる。記憶しないボタン３９は、例えば測定者が、最高血圧値と最低血圧値と脈拍値および脈圧をメモリ部６９に記憶しない場合だけ押すためのボタンである。
【００１７】
表示部３１がＸ方向に沿って配置されている。この表示部３１は、例えば液晶表示装置を用いることができ、一例として図１に示すように、表示部３１は、最高血圧値、最低血圧値、脈拍数、脈圧、測定動作中の表示マーク、電池交換の表示マーク等の各種の測定値等を表示することができる。
【００１８】
図１に示すように、測定者が血圧計本体１０を持ち易いようにするために、側面部３５，３６は曲面状に形成されている。メモリ呼び出し・時刻・アラーム設定ボタン３８と記憶しないボタン３９は、上面部３２の表示部３１の付近に配置されている。図１に示すように、ケーシング３０の内部には、スピーカ４３と、２つのポンプ４４，４５と、排気バルブ４６と、制御バルブ４７と、制御システムを含む回路基板４８と、メモリ部６９が配置されている。スピーカ４３は、音声によるガイドや音楽によるガイドを出力するために設けられている。
【００１９】
次に、図１〜図３を参照して、腕帯部２の構造について説明する。
図１に示すように、腕帯部２は、血圧測定時に測定者の上腕Ｔを開口部１１Ｐから挿入して開口部１１Ｒから出した状態で圧迫するために、上腕Ｔを差し込むことが可能な両端部が切れた略円筒状構造（筒体）を有している。これにより、この腕帯部２は、通常の腕帯部と異なり測定者の上腕Ｔに対して巻き付ける必要が無く、左右のいずれの上腕Ｔへの挿入が可能で、測定者は容易に血圧測定ができる。
【００２０】
図２と図３に示すように、腕帯部２は、変形可能でソフトな筒体であり、軽量に作られている。この腕帯部２は、空気袋（カフともいう）１４と、外布１６と、内布１７を有している。外布１６は、空気袋１４の外側を覆うことができ、内布１７は、空気袋１４の内側を覆うことができる。ここで、内布１７には、伸縮性に富んだ物を使用し、外布１６は変形するが、内布１７よりの伸縮性が低く、好ましくは殆ど伸縮しない物を用いることが好ましい。外布１６は外布カバーともいい、内布１７は内布カバーともいう。外布１６と外布１７は、共に好ましくは筒状の部材（筒体）である。
外布１６は、空気袋１４を収容するように当接布部である内布１７の外側に接合され、変形可能であるが伸縮性の無い布部材で形成された外側部材である。
外布１６は、変形可能であるが伸縮性が非常に低いかほとんど無い布部材である例えば伸びにくい生地（２０１ＢＥ）を採用でき、引張強度は、ＪＩＳ  Ｌ１０９６−Ａ法で測定した値として、タテが１４４５Ｎ／ｉｎで、ヨコが８２７Ｎ／ｉｎである。外布１６としては、例えば、ポリエステル１００％の生地を用いることができる。
【００２１】
内布１７は、空気袋１４の内面を覆う筒体でなり変形可能で伸縮性を有し、上腕Ｔの被測定面に当接する当接布部である。内布１７は、変形可能で伸縮性を有する布部材である例えば伸びやすい生地を採用でき、引張強度は、ＪＩＳ  Ｌ１０９６−Ａ法で測定した値として、タテが９４．９Ｎ／ｉｎで、ヨコが１５０．７Ｎ／ｉｎである。引張伸度は、ＪＩＳ  Ｌ１０９６−Ａ法で測定した値として、タテが５１７％で、ヨコが４００％である。内布としては、例えば、ナイロン８０％、ポリウレタン２０％の生地である。
【００２２】
図１に示す外布１６は、空気袋１４の外側に配置され、内布１７は、空気袋１４の内側に配置されている。外布１６と内布１７は、両側の接合部分７７により接合され、外布１６と内布１７で形成された空間内には空気袋１４が収容されている。両側の接合部分７７は、糸を用いた縫い合わせや、接着剤を用いた接着により形成されている。
また、図３に示すように、外側部材である外布１６の上腕を通す方向Ｄ１に沿った幅Ｓから、空気袋１４の上腕を通す方向Ｄ１に沿った幅Ｗを引いた値は、好ましくは４ｃｍ以下である。このように、（幅Ｓ−幅Ｗ）の値を４ｃｍ以下に設定するのは、空気袋１４は、外布１６に対して止めておらず、外布１６の寸法に余裕を持たせて、空気袋１４の膨張と収縮に対応できるようにするためである。もしも、（幅Ｓ−幅Ｗ）の値が４ｃｍを超えると、空気袋１４が外布１６と内布１７とで形成される空間内で移動する可能性があるので、好ましくはない。
【００２３】
例えば、図５に示す左腕の上腕ＴをＤ１方向に開口部１１Ｐに対して挿入し、あるいは逆方向に上腕Ｔを外す動作は、右手で腕帯部２を持って行うことができる。また、右腕の上腕ＴをＤ１方向に開口部１１Ｐに挿入し、あるいは逆方向に上腕Ｔを外す動作は、左手でこの腕帯部２を持って行うことができる。これにより、測定者は左右いずれの上腕Ｔに対しても、腕帯部２の装着動作あるいは取り外し動作を容易に行うことができる。
【００２４】
図１に示す空気袋１４は、例えば、塩化ビニル，ポリウレタン、合成ゴム，天然ゴム等の材質で形成されている。空気袋１４内へは、図１に示す血圧計本体１０内の破線で示すポンプ４４，４５の作動により、チューブ４を通じてエアーを供給されることにより膨張することで上腕Ｔを圧迫する。空気袋１４の内圧を一定速度で減圧するため、制御バルブ４７により空気袋１４内からエアーを徐々に外へ排気でき、測定を終了したときに、排気バルブ４６により空気袋１４内からエアーを外へ急排気できる。この空気袋１４の詳しい構造については、後で説明する。
【００２５】
次に、図４と図５を参照して、外布１６の内側に配置された骨部材１５０について説明する。
図４は、外布１６の内側に配置された骨部材１５０の形状例を示し、図５は、骨部材１５０を有する腕帯部２を示す側面図である。
図４に示すように外布１６の内面１６Ｎには、骨部材１５０が例えば接着剤により固定されている。この骨部材１５０は、金属製品あるいはプラスチック成型品であり、外布１６の長手方向１６Ｓに沿って配置されており、骨部材１５０は、複数本の骨１５０Ｈを有している。各骨１５０Ｈは、外布１６の短手方向１６Ｔに平行になるように同じ間隔をおいて配列されている。各骨１５０Ｈは、断面円形状あるいは断面矩形形状であるが、断面形状や本数は特に限定されない。
【００２６】
このように、外布１６の内面１６Ｎに骨部材１５０が配置されていることにより、図６（Ｂ）に示すように、ソフトな腕帯部２であっても、空気袋１４内に空気が充填された時に、空気袋１４と外布１６が長手方向１６Ｓに沿って膨らんでしまうことがない。このため、空気袋が硬質の筒体内に配置されている腕帯部と同様にして、測定者は上腕による血圧測定を安定して確実に行うことができる。
【００２７】
図６（Ａ）は、外布１６と内布１７と空気袋１４から成る腕帯部２を示す斜視図であり、図６（Ｂ）は、この腕帯部２を別の方向から見た斜視図であり、図６（Ｃ）は、腕帯部２を折りたたんだ状態を示す斜視図である。
図６（Ａ）と図６（Ｂ）に示すように、腕帯部２は４つに折り曲げてほぼ正方形断面の開口部Ｇを形成することができる。腕帯部２は４つの折り曲げ部分２００を有していることにより、図６（Ｃ）に示すように簡単に折りたたむことができる構造である。
図７（Ａ）は、空気袋１４とマイクロフォンＭを示す斜視図であり、図７（Ｂ）は、空気袋１４と外布１６と内布１７と、マイクロフォンＭを示す図である。図７に示すように、２つのマイクロフォンＭが空気袋１４に取り付けられ、２つのマイクロフォンＭは互いに向かい合っている。
【００２８】
ここで、空気袋１４の構造例を説明する。
図８は、空気袋１４を形成するためのシート例を示している。
図８に示すシートＳＷは、ほぼ長方形状の例えば透明のプラスチックシートであり、一例としてポリウレタンシートにより形成されている。このシートＳＷは、フィルタ付き接続管２２０、コードフック２２１、４つの折れ線部分２２２、接合部分２２３，２２４、２つのマイクロフォン保持部２２５を有している。
接続管２２０は、図１に示すチューブ４の端部を接続する。コードフック２２１は、図１に示す有線３とチューブ４を掛ける。接合部分２２３，２２４は熱圧着により空気袋１４を形成する。マイクロフォン保持部２２５はそれぞれマイクロフォンＭを保持できる。シートＳＷは４つの折れ線部分２２２の部分で折り曲げることにより、図７に示す形状の空気袋１４を形成できる。
【００２９】
図８（Ｂ）と図９に示すように、空気袋１４の幅（短手方向の幅）Ｗは、好ましくは１２ｃｍ以上である。この理由としては、図９に示すように、空気袋１４の内面側が測定者の被測定面ＨＭに対して少なくとも８ｃｍ以上当接していないと、正しい血圧測定ができないので、空気袋１４の内面側が８ｃｍ以上接しているためには、空気袋１４の幅Ｗは１２ｃｍ以上必要である。もし、空気袋１４の幅Ｗは１２ｃｍ未満であると、正確な血圧測定ができなくなる恐れがある。
【００３０】
次に、図１０は、図１の電子血圧計１のブロック構成図である。
図１０に示す電子血圧計１の回路ブロックを説明する。電子血圧計１の回路ブロックを示している。電子血圧計１の回路ブロックの破線で示すように、血圧計本体１０は、コロトコフ音（Ｋ音）検出システム５０と、加圧システム５１と、排気システム５２と、圧力検出システム５３と、電源システム５４と、音声システム５５と、制御システム５６を有する。
【００３１】
制御システム５６は、表示部３１の駆動部５８と、タイマ５９と、メモリ部６９等を有する。表示部３１の駆動部５８は、表示部３１を駆動制御して表示すべき項目を表示させる。メモリ部６９は、制御システム５６のＣＰＵ（中央処理部）により処理すべきプログラムが記憶されているＲＯＭ（読み出し専用メモリ）である。タイマ５９は、各種の動作の時間のカウントを行う。操作部５７は、制御システム５６に電気的に接続されており、すでに説明した開始／停止ボタン３７と、音量ボタン３８と、モード選択ボタン３９を有している。
【００３２】
図１０のコロトコフ音（Ｋ音）検出システム５０は、腕帯部２の２つのマイクロフォンＭと、Ｋ音検出回路部６０と、ノイズセンサ１５と、ノイズセンサ検出回路部６１を有している。２つのマイクロフォンＭは、Ｋ音検出回路部６０を介して制御システム５６に電気的に接続されている。図１に示すように、２つのマイクロフォンＭは、開口部１６に対して互いに対向した位置（上腕Ｔの動脈に近い位置と遠い位置）に配置されている。
【００３３】
図１０の２つのマイクロフォンＭは、測定者の血流音（血管情報）を検知し、Ｋ音検出回路部６０はこの血流音からＫ音を検出して制御システム５６にＫ音信号を伝える。制御システム５６は、入力されたＫ音信号からコロトコフ音と、このコロトコフ音の発生ポイントと、消滅ポイントを検出する。ノイズセンサ１５は、外部からマイクロフォンＭに入る振動ノイズを検知して、ノイズセンサ検出回路部６１を介して制御システム５６にノイズ信号を送る。これにより、制御システム５６は、Ｋ音信号からノイズを除去することで、Ｋ音検出信号の精度を高めている。
【００３４】
図１０に示す圧力検出システム５３は、配管部６３と、圧力センサ６４と、チューブ４により構成されている。圧力センサ６４は、アンプ、フィルタ、積分Ａ／Ｄ部６５を介して制御システム５６に電気的に接続されている。制御システム５６は、Ｋ音信号を検出する。
すなわち、加圧して血管内の血流を止めた後に減圧し、再び血流が流れる時の最初のＫ音信号が検出された時点の圧力を最高血圧値に設定し、更に減圧を続けて血管の管路断面積が十分に拡がり、Ｋ音信号が検出されなくなったら、最後のＫ音信号が検出された時点の圧力を最低血圧値に設定する。また、制御システム５６は、最高血圧値と最低血圧値から得られる血管脈動またはＫ音信号の出現間隔から脈拍数を演算する。
【００３５】
加圧システム５１は、ポンプ４４，４５と、ポンプの駆動部６２を有する。制御システム５６の指令により、駆動部６２は、ポンプ４４，４５を駆動制御する。ポンプ４４，４５は、圧力検出システム５３の配管部６３を通じて腕帯部２の空気袋内に接続されている。
電子血圧計１では、腕帯部２内をポンプ４４，４５で加圧した後、微速度で排気して減圧しつつ圧力センサ６４を用いて腕帯部２の空気袋内の圧力を検出すると同時に、マイクロフォンＭを用いてコロトコフ音（Ｋ音）を検出する。そして、電子血圧計１は、Ｋ音信号と、このＫ音信号の発生ポイントと消滅ポイントを検出することで、最高血圧値と最低血圧値を算出して、算出した最高血圧値と最低血圧値を表示部３１に表示できる。
【００３６】
次に、排気システム５２について説明する。排気システム５２は、２つの駆動部６６，６７と、排気バルブ（強制排気部）４６と、制御バルブ（減圧制御部）４７を有する。排気バルブ４６と制御バルブ４７は配管部６３の途中に配置されている。制御システム５６が駆動部６６に指令をすることで、排気バルブ４６の開閉を行い、制御システム５６が駆動部６７に指令をすることで、制御バルブ４７の開閉を行う。  
【００３７】
電源システム５４は、電池６８と、電源コントロール部６９Ｃと、電源監視部７０を有する。電池６８は、繰り返して充電可能な例えばリチウムイオン電池であるが、特に種類は限定されず、乾電池等でも良い。電池６８の電圧は、電源コントロール部６９Ｃにより制御されて制御システム５６に供給されるとともに、ポンプ４４，４５の駆動電源、音声制御部７１へ供給する電源でもある。電源監視部７０は、電池６８の残量等の監視を行う。また、ＡＣアダプタを用いることで１００Ｖの商用電源を用いることができる。  
【００３８】
音声システム５５は、音声制御部７１と、増幅部７２を有している。音声制御部７１と増幅部７２は、制御システム５６からの指令により制御される。音声制御部７１は、制御システム５６の指令により、音声によるガイダンスデータもしくは音楽データを増幅部７２に送って増幅することで、スピーカ４３は音声によるガイド用のアナウンスと音楽によるガイド用のアナウンスを発生することができる。
【００３９】
次に、上述した電子血圧計１を用いて、血圧測定プログラムの手順に従って、血圧測定を行う例を説明する。
血圧測定プログラムでは、例えば通常モードＭ１、最高血圧モードＭ２、最低血圧モードＭ３を有する。以下に、これらのモードを順番に説明する。
【００４０】
（通常モードＭ１）
次に、測定者は腕帯部２を把持しながら例えば右の上腕を開口部１１Ｐから開口部１１Ｒにかけて挿入する。測定者が図１に示すモード選択ボタン３９を押して通常モードＭ１を選択した場合には、測定者は図１の開始／停止ボタン３７を押して血圧測定を開始する。図１のポンプ４４，４５が全速力で空気袋１４を昇圧して、２つのマイクロフォンＭが、測定者の血流音（血管情報）を検知して脈が消滅するまで全速力で腕帯部２内の空気袋１４を昇圧する。制御システム５６が脈の消失を判断したら腕帯部２内の昇圧を停止する。
そして、腕帯部２内を少しずつ減圧（例えば２〜５ｍｍＨｇ／秒）していき、最高血圧値と最低血圧値を検出する。最高血圧値と最低血圧値を図１の表示部３１に表示して、ポンプ４４，４５と排気バルブ４６を作動して腕帯部２内の空気袋１４を急排気する。
【００４１】
このように、最高血圧値と最低血圧値を表示部３１に表示できた時点で、腕帯部２内の空気袋１４を急排気することで、測定者の上腕に対する圧迫を即座に解消できるので、測定者への負担を軽減できる。測定者が血圧測定をする際には、図１の腕帯部２を血圧計本体１０から持ち上げて上腕Ｔを挿入することにより、血圧計本体１０の設置場所が測定者から離れていても、測定者は座位にて背を伸ばして腹圧の掛からない状態で容易に血圧測定ができる。
【００４２】
（最高血圧モードＭ２）
また、測定者は腕帯部２を把持しながら例えば右の上腕を開口部１１Ｐから開口部１１Ｒにかけて挿入する。測定者が図１に示すモード選択ボタン３９を押して最高血圧モードＭ２を選択した場合には、測定者は図１の開始／停止ボタン３７を押して血圧測定を開始する。図１のポンプ４４，４５が全速力で空気袋１４を昇圧して、２つのマイクロフォンＭが、測定者の血流音を検知して脈が消滅するまで全速力で腕帯部２内の空気袋１４を昇圧する。制御システム５６が脈の消失を判断したら腕帯部２内の空気袋１４の昇圧を停止する。
【００４３】
そして、少しずつ減圧（例えば２〜５ｍｍＨｇ／秒）していき、図１のスピーカ４３が腕帯部２内の空気袋１４を減圧時のカフ値毎に、例えば１０ｍｍＨｇ毎に圧力値を音声によりアナウンスし、最高血圧値だけを検出する。その後、図１のスピーカ４３は最高血圧値と脈拍数を音声によるガイドでアナウンスして、ポンプ４４，４５と排気バルブ４６を作動して腕帯部２内の空気袋１４を急排気する。これにより、最高血圧値と脈拍数を音声によるガイドでアナウンスしながら腕帯部２内を急排気することで、測定者の上腕に対する圧迫を即座に解消できるので、測定者への負担を軽減できる。
【００４４】
（最低血圧モードＭ３）
また、測定者は腕帯部２を把持しながら例えば右の上腕を開口部１１Ｐから開口部１１Ｒにかけて挿入する。その後、測定者が図１に示すモード選択ボタン３９を押して最低血圧モードＭ３を選択した場合には、測定者は図１の開始／停止ボタン３７を押して血圧測定を開始する。少しずつ昇圧（例えば２〜５ｍｍＨｇ／秒）していき、図１のスピーカ４３が腕帯部２内の空気袋１４を昇圧時のカフ値毎に、例えば１０ｍｍＨｇ毎に圧力値を音声アナウンスし、最低血圧値を検出する。その後、脈が消失したら昇圧を停止して、図３のスピーカ４３が最低血圧値を音声によるガイドでアナウンスをするとともに、ポンプ４４，４５と排気バルブ４６を作動して腕帯部２内の空気袋１４を急排気する。
【００４５】
本発明の実施形態の電子血圧計１では、上腕を挿入する筒体の腕帯部２と、血圧計本体１０とを有し、腕帯部２と血圧計本体１０とが別体に形成されており、腕帯部２は、少なくとも筒体の内面の一部を形成する空気袋１４と、空気袋１４の内面を覆う筒体でなり変形可能で伸縮性を有し、上腕の被測定面に当接する当接布部１７と、空気袋を収容するように当接布部の外側に接合され、変形可能であるが伸縮性の無い布部材で形成された外側部材１６とを有する。このため、軽量でコンパクトな腕帯部を有する電子血圧計を提供することができる。
【００４６】
ところで、本発明は上記実施形態に限定されず、種々の変形例を採用することができる。例えば、図示例では、腕帯部２はほぼ扇型であるが、これに限らず任意の形状を採用できる。表示部３１は、例えば液晶表示装置の他に、有機ＥＬ装置、蛍光表示装置等、特に種類は限定されない。
上述した本発明の実施形態では、電子血圧計は、血圧測定方式としてリバロッチ・コロトコフ法が用いられ、コロトコフ音（Ｋ音）を検出して血圧測定を行うようになっているが、圧脈波（オシロメトリック法）等の他の血圧測定方式を採用しても良い。
【符号の説明】
【００４７】
１・・・電子血圧計、２・・・腕帯部、１０・・・血圧計本体、１１Ｐ、１１Ｒ・・・開口部、１４・・・空気袋、１６・・・外布（外側部材の一例）、１７・・・内布（当接布部の一例）、３１・・・表示部、４３・・・スピーカ、１５０・・・骨部材、２２２・・・複数の肉薄部分としての折れ線部分
【図１】
0005461941.tif 000002
【図２】
0005461941.tif 000003
【図３】
0005461941.tif 000004
【図４】
0005461941.tif 000005
【図５】
0005461941.tif 000006
【図６】
0005461941.tif 000007
【図７】
0005461941.tif 000008
【図８】
0005461941.tif 000009
【図９】
0005461941.tif 000010
【図１０】
0005461941.tif 000011